【事件の表示】
　特願２０１４−２６３４７９「遊技機」拒絶査定不服審判事件〔平成２７年　３月２６日出願公開、特開２０１５−　５７２４７〕について、次のとおり審決する。
【結　論】
　本件審判の請求は、成り立たない。
【理　由】
１　手続の経緯
　本願は、平成２５年５月１３日に出願した特願２０１３−１０１３４９号の一部を平成２６年１２月２５日に新たな特許出願（特願２０１４−２６３４７９号）としたものであって、平成２７年１２月７日付けで拒絶の理由が通知され、平成２８年２月１０日に意見書及び手続補正書が提出されたところ、平成２８年８月５日付けで拒絶査定がなされ、それに対して、平成２８年１０月２６日に拒絶査定不服審判の請求がなされると同時に明細書及び特許請求の範囲に係る手続補正がなされ、これに対し、当審において、平成２９年４月１７日付けで拒絶の理由が通知され、平成２９年６月５日に意見書及び手続補正書が提出されたものである。
２　本願発明
　平成２９年６月５日付け手続補正書により補正された特許請求の範囲の請求項１に係る発明（以下「本願発明」という。）は、その請求項１に記載された事項により特定される、次のとおりのものである。（下線部は補正箇所を示す。また、Ａ〜Ｃは、分説するために当審にて付した。また、「前記２位置」は「前記第２位置」の誤記であることは明らかであるため、Ｃにおいて「前記第２位置」として認定した。）。
「【請求項１】
Ａ　第１の可動役物と前記第１の可動役物の動作に連動して動作可能な少なくとも１つの第２の可動役物とを含む複数の可動役物と、
Ｂ　前記第１の可動役物を第１位置と第２位置とにわたって移動駆動する駆動機構を有する役物動作機構とを備え、
Ｃ　前記役物動作機構は、
　前記複数の可動役物を夫々前記第１位置に保持する第１状態と、
　前記駆動機構により前記第１の可動役物を前記第１位置から前記第２位置の方へ移動させたときに、前記第２の可動役物が移動する途中位置に停止させることにより前記複数の可動役物の視認態様が拡大するように展開させた第２状態と、
　前記駆動機構により前記第１の可動役物を前記第１位置から前記第２位置の方へ移動させたときに、前記複数の可動役物の視認態様を前記第２状態と視認態様が異なるように展開させた第３状態とに切換え可能に構成された、
　ことを特徴とする遊技機。」
３　拒絶理由通知の概要
　平成２９年４月１７日付け拒絶理由通知は、本願発明は、特開２０１２−１１５３２０号公報に記載された発明及び特開２０１２−３４７４６号公報に記載された事項に基づき、又は、特開２００９−２８０７３号公報に記載された発明及び特開２０１２−３４７４６号公報に記載された事項に基づき、当業者が容易にすることができたものであって、特許法第２９条第２項の規定により特許を受けることができないというものである。
４　刊行物
（１）刊行物１に記載された発明
　本願の出願遡及日前に頒布され、平成２９年４月１７日付け拒絶理由通知で引用された刊行物である特開２００９−２８０７３号公報（以下、「刊行物１」という。）には、図面とともに次の事項が記載されている（下線は、当審にて付した。以下、同じ。）。
（１−ａ）　「【請求項１】
　表示面に図柄を表示する表示装置と、前記表示装置の周囲に配置された可動役物と、前記表示装置の前記表示面上に
前記可動役物を移動させる作動手段
　前記可動役物は、前記表示装置の前記表示面上を移動する収容部材と、前記収容部材に収容可能に構成され前記表示装置の前記表示面上を移動する被収容部材と、を有し、
　
前記作動手段は、前記収容部材及び前記被収容部材を同時に移動させ、あるいは前記収容部材又は前記被収容部材の一方を他方に対して相対的に移動させる移動手段と、前記移動手段を駆動する単一の駆動源と、を有する
遊技機
（１−ｂ）　「【００３５】
　図５乃至図７に示すように、センター役物２００は、演出図柄表示装置６２の前面上部の周辺部に前方側に向かって突出するように装着されている。
センター役物２００は、可動式であり、全体として、日本刀をモチーフとして形成されており、柄部材２０２と、刃部材２０４（被収容部材）と、鞘部材２０６（収容部材）と、で構成されている。
【００３６】
　センター役物２００の柄部材２０２は、日本刀の柄をモチーフに形成されたものであり、日本刀において人が把持する部位である。柄部材２０２には、刃部材２０４が一体形成されている。この刃部材２０４は、日本刀の刃をモチーフにして形成されたものであり、本実施形態では、直方体状に形成されている。また、センター役物２００の鞘部材２０６は、刃部材２０４を収容するものであり、日本刀の鞘をモチーフにして形成されている。
センター役物２００が初期位置にあるときは、刃部材２０４は、鞘部材２０６に収容された状態となっており、
（１−ｃ）　「【００７５】
　このようにして、
センター役物２００は、柄部材２０２、刃部材２０４及び鞘部材２０６が同時に、上側の初期位置から下側に移動する。このとき、刃部材２０４は、鞘部材２０６に完全に収容された状態であり、
【００７６】
　センター役物２００が初期位置から下側に移動すると、演出図柄表示装置６２の表示面上を上側から下側に向かって移動することになるため、
遊技者は、センター役物２００の斬新な動作に集中し、何か有利な遊技状態になることを想像する。これにより、遊技者は、遊技に対する期待と興奮を覚え、
・・・
【００８０】
　これにより、
柄部材２０２及刃部材２０４が停止し、鞘部材２０６だけが右側に移動していくと、刃部材２０４が鞘部材２０６から抜け出ていき、刃部材２０４の一部が露出した状態になる。
【００８１】
　以上のように、
センター役物２００全体が演出図柄表示装置６２の表示面上を上側から下側に移動し、
に対する期待を高め、さらに遊技に集中することになるため、遊技性を一層高めることができる。」
　上記（１−ａ）〜（１−ｃ）の記載事項から、以下（１−ｄ）〜（１−ｉ）の事項が導かれる。
（１−ｄ）上記記載事項（１−ｂ）より、「センター役物２００は、」「柄部材２０２と、刃部材２０４（被収容部材）と、鞘部材２０６（収容部材）と、で構成されている。」（段落【００３５】）ものであり、また、上記記載事項（１−ｃ）より、「センター役物２００は、柄部材２０２、刃部材２０４及び鞘部材２０６が同時に、上側の初期位置から下側に移動する」（段落【００７５】）ものであるから、刊行物１には、
同時に上側の初期位置から下側に移動する、柄部材２０２と刃部材２０４と鞘部材２０６とを含むセンター役物２００
（１−ｅ）上記記載事項（１−ａ）には、「前記可動役物を移動させる作動手段」及び「前記作動手段は、前記収容部材及び前記被収容部材を同時に移動させ、あるいは前記収容部材又は前記被収容部材の一方を他方に対して相対的に移動させる移動手段と、前記移動手段を駆動する単一の駆動源と、を有する」（【請求項１】）と記載されており、また、上記記載事項（１−ｂ）の「センター役物２００は、可動式であり、全体として、日本刀をモチーフとして形成されており、柄部材２０２と、刃部材２０４（被収容部材）と、鞘部材２０６（収容部材）と、で構成されている。」（段落【００３５】）との記載より、収容部材は鞘部材２０６であるといえるから、刊行物１には、
鞘部材２０６を移動させる移動手段と、移動手段を駆動する駆動源とを有する作動手段
　さらに、上記記載事項（１−ｃ）には「センター役物２００は、柄部材２０２、刃部材２０４及び鞘部材２０６が同時に、上側の初期位置から下側に移動する。」（段落【００７５】）及び「柄部材２０２及刃部材２０４が停止し、鞘部材２０６だけが右側に移動していく」（段落【００８０】）との記載があり、また、当該記載における「移動」が、「移動手段」により行われることは明らかであるから、刊行物１には、
鞘部材２０６を初期位置から下側に移動させ、その後、鞘部材２０６を右側に移動させる移動手段と、移動手段を駆動する駆動源とを有する作動手段
（１−ｆ）上記記載事項（１−ｂ）には、「センター役物２００が初期位置にあるときは、刃部材２０４は、鞘部材２０６に収容された状態となっており、」（段落【００３６】）と記載されているから、
センター役物２００が初期位置にある状態
（１−ｇ）上記記載事項（１−ｃ）には、「センター役物２００は、柄部材２０２、刃部材２０４及び鞘部材２０６が同時に、上側の初期位置から下側に移動する。」（段落【００７５】）及び「柄部材２０２及刃部材２０４が停止し、鞘部材２０６だけが右側に移動していくと、刃部材２０４が鞘部材２０６から抜け出ていき、刃部材２０４の一部が露出した状態になる。」（段落【００８０】）と記載されているから、センター役物２００は、柄部材２０２、刃部材２０４及び鞘部材２０６が同時に初期位置から下側に移動した後、柄部材２０２及刃部材２０４が停止し、鞘部材２０６だけが右側に移動し、刃部材２０４の一部が露出した状態となることがあるといえる。
　さらに、柄部材２０２、刃部材２０４及び鞘部材２０６の移動を行うのは、上記記載事項（１−ａ）に記載の「前記収容部材及び前記被収容部材を同時に移動させ、あるいは前記収容部材又は前記被収容部材の一方を他方に対して相対的に移動させる移動手段」であることは明らかであるから、センター役物２００は、
移動手段により、柄部材２０２、刃部材２０４及び鞘部材２０６が同時に初期位置から下側に移動した後、柄部材２０２及び刃部材２０４が停止し、鞘部材２０６だけが右側に移動し、刃部材２０４の一部が露出した状態
（１−ｈ）上記記載事項（１−ｃ）には、「センター役物２００は、柄部材２０２、刃部材２０４及び鞘部材２０６が同時に、上側の初期位置から下側に移動する。このとき、刃部材２０４は、鞘部材２０６に完全に収容された状態であり、」（段落【００７５】）及び「センター役物２００全体が演出図柄表示装置６２の表示面上を上側から下側に移動し、」（段落【００８１】）と記載されているから、センター役物２００は、柄部材２０２、刃部材２０４及び鞘部材２０６が同時に、初期位置から下側に表示装置の表示面上を移動した状態となることがあるといえる。
　さらに、柄部材２０２、刃部材２０４及び鞘部材２０６の移動を行うのは、上記記載事項（１−ａ）に記載の「前記収容部材及び前記被収容部材を同時に移動させ、あるいは前記収容部材又は前記被収容部材の一方を他方に対して相対的に移動させる移動手段」であることは明らかであるから、センター役物２００は、
移動手段により、柄部材２０２、刃部材２０４及び鞘部材２０６が同時に、初期位置から下側に表示装置の表示面上を移動した状態
（１−ｉ）上記認定事項（１−ｆ）における「センター役物２００が初期位置にある状態」、上記認定事項（１−ｇ）における「移動手段により、柄部材２０２、刃部材２０４及び鞘部材２０６が同時に初期位置から下側に移動した後、柄部材２０２及び刃部材２０４が停止し、鞘部材２０６だけが右側に移動し、刃部材２０４の一部が露出した状態」、及び、上記認定事項（１−ｈ）における「移動手段により、柄部材２０２、刃部材２０４及び鞘部材２０６が同時に、初期位置から下側に表示装置の表示面上を移動した状態」とするための柄部材２０２、刃部材２０４及び鞘部材２０６を含むセンター役物２００の移動が、上記記載事項（１−ａ）の「前記可動役物を移動させる作動手段」（【請求項１】）により行われるのは明らかであるから、
作動手段は、センター役物２００が初期位置にある状態と、移動手段により、柄部材２０２、刃部材２０４及び鞘部材２０６が同時に初期位置から下側に移動した後、柄部材２０２及び刃部材２０４が停止し、鞘部材２０６だけが右側に移動し、刃部材２０４の一部が露出した状態と、移動手段により、柄部材２０２、刃部材２０４及び鞘部材２０６が同時に、初期位置から下側に表示装置の表示面上を移動した状態と、になるようにセンター役物２００を移動させる
　上記（１−ａ）〜（１−ｃ）の記載事項及び（１−ｄ）〜（１−ｉ）の認定事項を総合すると、刊行物１には、次の発明（以下「刊行物１発明」という。）が記載されていると認められる。（ａ〜ｃは、本願発明のＡ〜Ｃに対応させて付した。）
「ａ　同時に上側の初期位置から下側に移動する、柄部材２０２と刃部材２０４と鞘部材２０６とを含むセンター役物２００と、（認定事項（１−ｄ））
ｂ　鞘部材２０６を初期位置から下側に移動させ、その後、鞘部材２０６を右側に移動させる移動手段と、移動手段を駆動する駆動源とを有する作動手段とを備え、（認定事項（１−ｅ））
ｃ　作動手段は、
　センター役物２００が初期位置にある状態と、
　移動手段により、柄部材２０２、刃部材２０４及び鞘部材２０６が同時に初期位置から下側に移動した後、柄部材２０２及び刃部材２０４が停止し、鞘部材２０６だけが右側に移動し、刃部材２０４の一部が露出した状態と、
　移動手段により、柄部材２０２、刃部材２０４及び鞘部材２０６が同時に、初期位置から下側に表示装置の表示面上を移動した状態と、になるようにセンター役物２００を移動させる、（認定事項（１−ｉ））
遊技機。（【請求項１】」
（２）刊行物２に記載された事項
　本願の出願遡及日前に頒布され、平成２９年４月１７日付け拒絶理由通知で引用された刊行物である特開２０１２−３４７４６号公報（以下、「刊行物２」という。）には、図面とともに次の事項が記載されている（下線は、当審にて付した。以下、同じ。）。
（２−ａ）　「【００１９】
　図１、図２に示すように、
パチンコ遊技機１
（２−ｂ）　「【００３８】
　可動役物装置１７について詳しく説明する。
　図２、図３、図５〜図１３に示すように、
可動役物装置１７は、ベース部材４０、ベース部材４０に移動自在にガイド支持された第１可動役物４１、第１可動役物４１に回動自在に支持された第２可動役物４２、第１可動役物４１を駆動する第１役物駆動機構４３、第２可動役物４２を駆動する第２役物駆動機構４４を備えている。
・・・
【００４０】
　
第１可動役物４１は、その移動方向に細長く形成され、先の尖った長剣を模して、
（２−ｃ）　「【００７４】
　以上説明した可動役物装置１７は次のように動作する。
　
通常、第１可動役物４１は第１退避位置にあり、その大部分がセンタ役物本体１５ａの後側に隠れ、第２可動役物４２は第２退避位置にあり、その全部が第１可動役物４１の後側に隠れた状態になっているが、
【００７５】
　
第１の特別演出では、第１役物駆動機構４３により、第１可動役物４１が第１退避位置から第１途中位置へ向かって移動開始され、
第２可動役物４２は回動しないように保持され、第１可動役物４１と一体的に移動開始されて往復移動される。
【００７６】
　
その後、第１可動役物４１が第１途中位置を通過して、第１途中位置から第１作動位置へ移動領域Ａ２を移動される。
第２可動役物４２は第１可動役物４１と共に移動されながら第２退避位置から第２作動位置へ回動される。
（２−ｄ）　「【００７９】
　
第２の特別演出では、第１の特別演出と同様に、第１役物駆動機構４３により、第１可動役物４１が第１退避位置から第１途中位置へ向かって移動開始され、第１退避位置と第１途中位置との間で移動領域Ａ１を往復移動される。その際、第２可動役物４２は第１可動役物４１と一体的に移動開始されて往復移動される。
【００８０】
　
その後、第１の特別演出とは異なり、第１可動役物４１が第１途中位置を通過して、第１途中位置から第１作動位置へ移動領域Ａ２を移動されることなく、即ち、第２可動役物４２が第２退避位置から第２作動位置へ回動されることなく、第１可動役物４１が第１退避位置へ移動停止される。
【００８１】
　例えば、特別図柄の変動中、
第１，第２可動役物４１，４２が動作した場合（つまり、第１又は第２の特別演出が実行された場合）、第１，第２可動役物４１，４２が動作しない場合よりも大当り遊技が発生する期待度を高くし、また、第１の特別演出が実行された場合、第２の特別演出が実行された場合よりも大当り遊技が発生する期待度を高くする。
　上記（２−ａ）〜（２−ｄ）の記載事項から、以下（２−ｅ）〜（２−ｇ）の事項が導かれる。
（２−ｅ）上記記載事項（２−ｃ）より、「第１の特別演出」は、「第１役物駆動機構４３により、第１可動役物４１が第１退避位置から第１途中位置へ向かって移動開始され、」、その際に、「第２可動役物４２は回動しないように保持され、第１可動役物４１と一体的に移動開始されて往復移動され」（段落【００７５】）、「その後、第１可動役物４１が第１途中位置を通過して、第１途中位置から第１作動位置へ移動領域Ａ２を移動」し、その際に、「第２可動役物４２は第１可動役物４１と共に移動されながら第２退避位置から第２作動位置へ回動される」（段落【００７６】）演出であるから、
第１特別演出は、第１可動役物４１が第２可動役物４２と一体的に第１退避位置から第１途中位置へ向かって移動され、その後、第１可動役物４１が第１途中位置から第１作動位置へ移動され、第２可動役物４２は第２作動位置へ回動される演出であるといえる。
（２−ｆ）上記記載事項（２−ｄ）より、「第２の特別演出」は、「第１可動役物４１が第１退避位置から第１途中位置へ向かって移動開始され」、「その際、第２可動役物４２は第１可動役物４１と一体的に移動開始されて往復移動され」（段落【００７９】）る演出であり、また、「第２の特別演出」は、「その後、第１の特別演出とは異なり、第１可動役物４１が第１途中位置を通過して、第１途中位置から第１作動位置へ移動領域Ａ２を移動されることなく、即ち、第２可動役物４２が第２退避位置から第２作動位置へ回動されることなく、第１可動役物４１が第１退避位置へ移動停止される。」（段落【００８０】）演出であるから、
第２の特別演出は、第１可動役物４１が第２可動役物４２と一体的に第１退避位置から第１途中位置へ向かって移動される演出であるといえる。
（２−ｇ）上記記載事項（２−ｄ）の段落【００８１】には、「第１の特別演出が実行された場合、第２の特別演出が実行された場合よりも大当り遊技が発生する期待度を高くする。」と記載されているから、刊行物２に記載のパチンコ遊技機１は、
第１の特別演出又は第２の特別演出のいずれかを実行可能であるといえる。
　上記の（２−ａ）〜（２−ｄ）の記載事項及び（２−ｅ）〜（２−ｇ）の認定事項を総合すると、刊行物２には、次の事項が記載されていると認められる（以下「刊行物２記載の事項」という。）。  
「パチンコ遊技機１において、（段落【００１９】）長剣を模した第１可動役物４１と第２可動役物４２とを備える可動役物装置１７を備え、（段落【００３８】、【００４０】）
　通常、第１可動役物４１は第１退避位置にあり、その大部分がセンタ役物本体１５ａの後側に隠れ、第２可動役物４２は第１可動役物４１の後側に隠れた状態であり、（段落【００７４】）
　第１可動役物４１が第２可動役物４２と一体的に第１退避位置から第１途中位置へ向かって移動され、その後、第１可動役物４１が第１途中位置から第１作動位置へ移動され、第２可動役物４２は第２作動位置へ回動される第１特別演出、又は、（認定事項（２−ｅ））
　第１可動役物４１が第２可動役物４２と一体的に第１退避位置から第１途中位置へ向かって移動される第２特別演出（認定事項２−ｆ）のいずれかを実行可能とすること。（認定事項（２−ｇ））」
５　対比
　本願発明と刊行物１発明とを対比する（下記の（ａ）〜（ｃ）は、刊行物１発明の構成に対応している。）。
　ここで、本願発明の「前記第２の可動役物が移動する途中位置に停止させることにより前記複数の可動役物の視認態様が拡大するように展開させた第２状態」及び「前記複数の可動役物の視認態様を前記第２状態と視認態様が異なるように展開させた第３状態」との事項における「展開」に関して、平成２９年６月５日付けの意見書において、請求人は、「３）構成（Ｃ−３）の補正箇所は、当初明細書の段落【００５０】、【００６３】、【００７８】、図３に基づくものであり、「前記複数の可動役物の視認態様を前記第２状態と視認態様が異なるように展開させた」は、第１，第２の可動役物が保持状態の第１位置から第２位置の方へ一体的に移動することにより複数の可動役物の視認態様が展開されることを意図しております。」と主張しており、第１，第２の可動役物が一体的に移動した状態まで「展開」に含まれるといえるから、第１，第２の可動役物が移動していれば、「展開」しているものと解釈した。
（ａ）刊行物１発明における「鞘部材２０６」は、本願発明の「第１の可動役物」に相当し、刊行物１発明における「柄部材２０２」と「刃部材２０４」とは、本願発明の「第２の可動役物」に相当する。また、刊行物１発明において「柄部材２０２と刃部材２０４と鞘部材２０６と」は、「同時に上側の初期位置から下側に移動する」から、「柄部材２０２と刃部材２０４」は「鞘部材２０６」の動作に連動して動作可能なものといえる。さらに、刊行物１発明における「センター役物２００」に含まれる「柄部材２０２と刃部材２０４」と「鞘部材２０６と」とは、本願発明の「複数の可動役物」に相当する。
　そうすると、刊行物１発明における「同時に上側の初期位置から下側に移動する、柄部材２０２と刃部材２０４と鞘部材２０６とを含むセンター役物２００」は、本願発明における「第１の可動役物と前記第１の可動役物の動作に連動して動作可能な少なくとも１つの第２の可動役物とを含む複数の可動役物」に相当する。
（ｂ）刊行物１発明における「初期位置」及び「右側」は、それぞれ、本願発明の「第１位置」及び「第２位置」に相当する。また、刊行物１発明における「移動手段」と「移動手段を駆動する駆動源」とは、「鞘部材２０６を初期位置から下側に移動させ、その後、鞘部材２０６を右側に移動させる」ものであり、「鞘部材２０６」は、初期位置から下側を介して右側にわたって移動することになるから、本願発明の「前記第１の可動役物を第１位置と第２位置とにわたって移動駆動する駆動機構」に相当し、刊行物１発明における「作動手段」は、「移動手段と、移動手段を駆動する駆動源とを有する」ものであるから、本願発明の「役物動作機構」に相当する。
　そうすると、刊行物１発明における「鞘部材２０６を初期位置から下側に移動させ、その後、鞘部材２０６を右側に移動させる移動手段と、移動手段を駆動する駆動源とを有する作動手段」は、本願発明における「前記第１の可動役物を第１位置と第２位置とにわたって移動駆動する駆動機構を有する役物動作機構」に相当する。
（ｃ）刊行物１発明における「センター役物２００が初期位置にある状態」は、本願発明における「前記複数の可動役物を夫々前記第１位置に保持する第１状態」に相当する。
　本願発明の「前記駆動機構により前記第１の可動役物を前記第１位置から前記第２位置の方へ移動させたときに、前記第２の可動役物が移動する途中位置に停止させることにより前記複数の可動役物の視認態様が拡大するように展開させた第２状態」における「移動する途中位置」とは、「第１の可動役物」が第１位置から第２位置にわたって移動する際の第２位置へ到達する手前の「途中位置」と解せるものである。
　そうすると、刊行物１発明において、「移動手段により、柄部材２０２、刃部材２０４及び鞘部材２０６が同時に初期位置から下側に移動した後」、「鞘部材２０６だけが右側に移動」することは、本願発明における「前記駆動機構により前記第１の可動役物を前記第１位置から前記第２位置の方へ移動」することに相当し、刊行物１発明における、「柄部材２０２及び刃部材２０４が停止」する「下側」の位置は、「鞘部材２０６」が「初期位置から下側に移動」し、その後「右側に移動」する途中の位置となるから、本願発明における「途中位置」に相当する。したがって、刊行物１発明における「柄部材２０２、刃部材２０４及び鞘部材２０６が同時に初期位置から下側に移動した後、柄部材２０２及び刃部材２０４が停止」することは、本願発明における「前記第２の可動役物が移動する途中位置に停止」することに相当する。
　また、刊行物１発明において、「柄部材２０２、刃部材２０４及び鞘部材２０６が同時に初期位置から下側に移動した後」、「鞘部材２０６だけが右側に移動」したときには、「柄部材２０２及刃部材２０４が停止」し、「刃部材２０４の一部が露出した状態」となり、「刃部材２０４の一部」が視認できる態様となるから、本願発明における「前記複数の可動役物の視認態様が拡大するように展開させた」状態となっているといえる。
　よって、刊行物１発明における「移動手段により、柄部材２０２、刃部材２０４及び鞘部材２０６が同時に初期位置から下側に移動した後、柄部材２０２及刃部材２０４が停止し、鞘部材２０６だけが右側に移動し、刃部材２０４の一部が露出した状態」は、本願発明における「前記駆動機構により前記第１の可動役物を前記第１位置から前記第２位置の方へ移動させたときに、前記第２の可動役物が移動する途中位置に停止させることにより前記複数の可動役物の視認態様が拡大するように展開させた第２状態」に相当する。
　さらに、刊行物１発明において、「下側」の位置は、「鞘部材２０６を初期位置から下側に移動させ、その後、鞘部材２０６を右側に移動させる」（構成ｂ）際の鞘部材２０６の移動経路にあり、右側の方に向かう途中の位置であるから、刊行物１発明において、「鞘部材２０６」を「初期位置から下側に」移動させることは、本願発明における「前記第１の可動役物」を「前記第１位置から前記第２位置の方へ」移動させることに相当する。また、刊行物１発明において、「移動手段により、柄部材２０２、刃部材２０４及び鞘部材２０６が同時に、初期位置から下側に表示装置の表示面上を移動した状態」の時には、「移動手段により、柄部材２０２、刃部材２０４及び鞘部材２０６が同時に初期位置から下側に移動した後、柄部材２０２及び刃部材２０４が停止し、鞘部材２０６だけが右側に移動し、刃部材２０４の一部が露出した状態」の時とは、鞘部材２０６の位置が異なるため、その視認態様も異なるから、刊行物１発明における「柄部材２０２、刃部材２０４及び鞘部材２０６が同時に、初期位置から下側に表示装置の表示面上を移動した状態」は、本願発明の「前記複数の可動役物の視認態様を前記第２状態と視認態様が異なるように展開させた」状態であるといえる。
　よって、刊行物１発明における「移動手段により、柄部材２０２、刃部材２０４及び鞘部材２０６が同時に、初期位置から下側に表示装置の表示面上を移動した状態」は、本願発明における「前記駆動機構により前記第１の可動役物を前記第１位置から前記第２位置の方へ移動させたときに、前記複数の可動役物の視認態様を前記第２状態と視認態様が異なるように展開させた第３状態」に相当する。
　以上、（ａ）〜（ｃ）の対比より、本願発明と刊行物１発明とは、
「Ａ　第１の可動役物と前記第１の可動役物の動作に連動して動作可能な少なくとも１つの第２の可動役物とを含む複数の可動役物と、
Ｂ　前記第１の可動役物を第１位置と第２位置とにわたって移動駆動する駆動機構を有する役物動作機構とを備え、
Ｃ’前記役物動作機構は、
　前記複数の可動役物を夫々前記第１位置に保持する第１状態と、
　前記駆動機構により前記第１の可動役物を前記第１位置から前記第２位置の方へ移動させたときに、前記第２の可動役物が移動する途中位置に停止させることにより前記複数の可動役物の視認態様が拡大するように展開させた第２状態と、
　前記駆動機構により前記第１の可動役物を前記第１位置から前記第２位置の方へ移動させたときに、前記複数の可動役物の視認態様を前記第２状態と視認態様が異なるように展開させた第３状態とにする、
　遊技機。」
である点で一致し、以下の点で相違する。
（相違点）役物動作機構について、本願発明は、第１状態と第２状態と第３状態とに「切換え可能に構成され」ているのに対し、刊行物１発明はそのように特定されていない点。（構成Ｃ）
６　判断
　上記相違点について検討する。
　刊行物２記載の事項において、「パチンコ遊技機１」、「第１可動役物４１」及び「第２可動役物４２」は、それぞれ、「遊技機」、「第１の可動役物」及び「第２の可動役物」を意味するといえる。
　刊行物２記載の事項において、「通常」の「第１可動役物４１は第１退避位置にあり、その大部分がセンタ役物本体１５ａの後側に隠れ、第２可動役物４２は第１可動役物４１の後側に隠れた状態」は第１状態であるといえる。
　刊行物２記載の事項において、「第１特別演出」を実行する際の「第１可動役物４１が第２可動役物４２と一体的に第１退避位置から第１途中位置へ向かって移動され、その後、第１可動役物４１が第１途中位置から第１作動位置へ移動され、第２可動役物４２は第２作動位置へ回動され」た状態は、「第１可動役物４１は第１退避位置にあり、その大部分がセンタ役物本体１５ａの後側に隠れ、第２可動役物４２は第１可動役物４１の後側に隠れた状態」である「通常」の状態に対して、「第２可動役物４２は第２作動位置へ回動され」、「第１可動役物４１の後側に隠れた」状態から視認可能な状態になるものであるから、複数の可動役物の視認態様が拡大するように展開させた第２状態であるといえる。
　また、刊行物２記載の事項において、「第２特別演出」を実行する際の「第１可動役物４１が第２可動役物４２と一体的に第１退避位置から第１途中位置へ向かって移動され」た状態は、「第１特別演出」を実行する際の「第１可動役物４１が第２可動役物４２と一体的に第１退避位置から第１途中位置へ向かって移動され、その後、第１可動役物４１が第１途中位置から第１作動位置へ移動され、第２可動役物４２は第２作動位置へ回動され」た状態とは、「第１可動役物４１」と「第２可動役物４２」との位置が異なり、その視認態様も異なるから、複数の可動役物の視認態様を第２状態と視認態様が異なるように展開させた第３状態であるといえる。
　さらに、刊行物２記載の事項は、「通常」の状態から、「第１特別演出、又は、」「第２特別演出」「のいずれかを実行可能」とするものであるから、「通常」の状態、「第１特別演出」を実行する状態、「第２特別演出」を実行する状態とに切換え可能に構成されているといえる。
　したがって、本願発明の用語を用いて表現すると、刊行物２記載の事項は、第１状態と、複数の可動役物の視認態様が拡大するように展開させた第２状態と、複数の可動役物の視認態様を第２状態と視認態様が異なるように展開させた第３状態とに切換え可能に構成されたものといえる。
　そして、刊行物１発明と刊行物２記載の事項とは、剣を模した可動役物を用いる遊技機であり、複数の可動役物が、第１の状態から、それぞれ異なる視認態様である第２状態と第３状態とになる点で共通するものであり、さらに、剣を模した可動役物を用い、有利な遊技状態になることを期待させる演出を行う点で共通するから、刊行物１発明において、期待度に応じた演出を行わせるために、「作動手段」に、刊行物２記載の事項を適用して、「センター役物２００が初期位置にある状態」と、「移動手段により、柄部材２０２、刃部材２０４及び鞘部材２０６が同時に初期位置から下側に移動した後、柄部材２０２及び刃部材２０４が停止し、鞘部材２０６だけが右側に移動し、刃部材２０４の一部が露出した状態」と、「移動手段により、柄部材２０２、刃部材２０４及び鞘部材２０６が同時に、初期位置から下側に表示装置の表示面上を移動した状態」とに切換え可能に構成し、上記相違点に係る本願発明の構成とすることは、当業者が容易に想到し得ることである。
　また、上記相違点によって本願発明が奏する効果は、当業者が刊行物１発明及び刊行物２記載の事項から予測し得る程度のものであって、格別のものではない。
　なお、平成２９年６月５日付けの意見書において、請求人は、「引用文献２においては、・・・鞘部材が上側位置から右側位置の方へ移動したときに、「センター役物の視認態様」が前記第２状態と視認態様が異なる、本発明の第３状態になることについては開示されていない。」（第３頁第８〜１４行）との主張をしているが、上記「５（ｃ）」で示した通り、刊行物１発明において、「移動手段により、柄部材２０２、刃部材２０４及び鞘部材２０６が同時に、初期位置から下側に表示装置の表示面上を移動した状態」は、「移動手段により、柄部材２０２、刃部材２０４及び鞘部材２０６が同時に初期位置から下側に移動した後、柄部材２０２及び刃部材２０４が停止し、鞘部材２０６だけが右側に移動し、刃部材２０４の一部が露出した状態」の時と視認態様が異なるから、本願発明における「前記複数の可動役物の視認態様を前記第２状態と視認態様が異なるように展開させた第３状態」であるといえる。よって、請求人の上記主張は採用できない。
　さらに、請求人は、「（Ｉ）引用文献３においては、・・・第１可動役物が第１退避位置から第１作動位置の方へ移動したときに、「複数の可動役物の視認態様を展開させるパターン」は、１つしかないから、役物作動機構により複数の可動役物が第２状態と第３状態とに切換え可能に構成されていない。・・・第３状態になるとは言えない。」（第３頁第１９〜３８行）及び「引用文献１〜３の何れにも、本発明の特徴的技術構成（Ｃ−３）について開示されていないし、引用文献１〜３には、「第１の可動役物が第１位置から第２位置の方へ移動したときに、複数の可動役物の視認態様を展開させるパターンを複数パターン設ける」という発明思想が存在しないので、引用文献１〜３から、本発明の特徴的技術構成（Ｃ−３）を試行錯誤することが当業者の通常の創作能力の発揮として設計上当然に行うことができるは言えないし、本発明が奏する効果も期待できない。」（第３頁第４０〜４５行）との主張をしているが、上記で示した通り、刊行物２記載の事項においては、
「第１特別演出」を実行する際の「第１可動役物４１が第２可動役物４２と一体的に第１退避位置から第１途中位置へ向かって移動され、その後、第１可動役物４１が第１途中位置から第１作動位置へ移動され、第２可動役物４２は第２作動位置へ回動され」た状態と、当該状態とはその視認態様が異っている、「第２特別演出」を実行する際の「第１可動役物４１が第２可動役物４２と一体的に第１退避位置から第１途中位置へ向かって移動され」た状態とになるから、第２状態と、第２状態と視認態様が異なるように展開させた第３状態とになるといえるし、刊行物２記載の事項は、上記の２つ状態となる「第１特別演出」と「第２特別演出」との「いずれかを実行可能とする」ものであるから、複数の可動役物の視認態様を展開させるパターンを複数パターン設けたものといえる。
　したがって、請求人の上記主張は採用できない。
　よって、本願発明は当業者が刊行物１発明及び刊行物２記載の事項に基づいて容易に発明をすることができたものである。
７　むすび
　以上のとおりであるから、本願発明は、特許法第２９条第２項の規定により特許を受けることができない。したがって、本願は、拒絶されるべきものである。
　よって、結論のとおり審決する。